(57)【要約】【課題】より簡易な係止構造のプロテクタを提供すること。【解決手段】プロテクタ１は、電線９を収容可能な形状に形成されており、板状部分に形成されたロック部１３が、他の板状部分に形成されたロック孔部１２に挿通されて係止する係止構造を備える。そして、ロック部１３は、ロック部１３をロック孔部１２に挿通可能にする第一形態及び第一形態と異なる形状の第二形態に変形可能であり、第二形態のロック部１３がロック孔部１２に引っ掛かることにより、プロテクタ１を電線９を収容可能な形状に維持する係止構造が形成される。【選択図】図１
2016012990.tif 000002
【特許請求の範囲】
【請求項１】
電線を収容可能な形状に形成されたプロテクタであって、
板状部分に形成されたロック部が、他の板状部分に形成されたロック孔部に挿通されて係止する係止構造を備え、
前記ロック部は、前記ロック部を前記ロック孔部に挿通可能にする第一形態及び前記第一形態と異なる形状の第二形態に変形可能であり、
前記第二形態の前記ロック部が前記ロック孔部に引っ掛かることにより、前記プロテクタを前記電線を収容可能な形状に維持する前記係止構造が形成される、プロテクタ。
【請求項２】
請求項１に記載のプロテクタであって、
板状の底板部と前記底板部から間隔を空けて起立した一対の板状の側壁部とを備える本体部と、
前記底板部に対向する板状の蓋部と、を備え、
前記ロック部が、前記本体部及び前記蓋部の一方に形成されており、前記ロック孔部が、前記本体部及び前記蓋部の他方に形成されている、プロテクタ。
【請求項３】
請求項１又は請求項２に記載のプロテクタであって、
前記ロック部の前記第一形態は、前記ロック部が曲げられた形態であり、
前記ロック部の前記第二形態は、平らな形態である、プロテクタ。
【請求項４】
請求項１から請求項３のいずれか１項に記載のプロテクタであって、
板部材が折り曲げられることにより形成されている、プロテクタ。
【請求項５】
請求項４に記載のプロテクタであって、
複数の板状の外側部分と複数の前記外側部分の間に形成された介在部分とを含む中空構造を有する前記板部材で形成されている、プロテクタ。
【請求項６】
請求項３から請求項５のいずれか１項に記載のプロテクタであって、
前記ロック孔部は、少なくとも一箇所で角度を成して曲がる形状に形成されており、
前記ロック部の前記第一形態は、少なくとも一箇所で角度を成して曲げられた形態である、プロテクタ。
【請求項７】
請求項３から請求項５のいずれか１項に記載のプロテクタであって、
前記ロック孔部は、曲線状に形成されており、
前記ロック部の前記第一形態は、曲げられ湾曲した形態である、プロテクタ。
【発明の詳細な説明】
【技術分野】
【０００１】
本発明は、電線を保護する技術に関する。
【背景技術】
【０００２】
自動車等の車両に搭載されるワイヤーハーネスにおいて、電線が、例えば、特許文献１に示されるようなプロテクタにより保護される。
【０００３】
特許文献１に示されるプロテクタは、合体状態で電線を挿通収容可能な収容体を構成する第１プロテクタ部材と第２プロテクタ部材とを備えている。
【０００４】
特許文献１に示されるプロテクタにおいては、第１プロテクタの側壁部と側壁部に間隔を空けて対向する補助壁部との間に、第２プロテクタ部材の挿入部が挿入される。この場合、側壁部及び補助壁部の少なくとも一方に形成された被係止部と挿入部に形成された係止部とが係止することにより、第１プロテクタ部材と第２プロテクタ部材との合体状態が維持される。
【先行技術文献】
【特許文献】
【０００５】
【特許文献１】特開２０１１−２３４４７４号公報
【発明の概要】
【発明が解決しようとする課題】
【０００６】
しかしながら、例えば、特許文献１に示されるプロテクタの係止構造においては、側壁部の外側にさらに補助壁部を設ける必要がある。そのため、より簡易な係止構造を有するプロテクタが求められている。
【０００７】
本発明は、より簡易な係止構造のプロテクタを提供することを目的とする。
【課題を解決するための手段】
【０００８】
第１態様に係るプロテクタは、電線を収容可能な形状に形成されたプロテクタであって、板状部分に形成されたロック部が、他の板状部分に形成されたロック孔部に挿通されて係止する係止構造を備え、前記ロック部は、前記ロック部を前記ロック孔部に挿通可能にする第一形態及び前記第一形態と異なる形状の第二形態に変形可能であり、前記第二形態の前記ロック部が前記ロック孔部に引っ掛かることにより、前記プロテクタを前記電線を収容可能な形状に維持する前記係止構造が形成される。
【０００９】
第２態様に係るプロテクタは、第１態様に係るプロテクタの一態様である。第２態様に係るプロテクタは、板状の底板部と前記底板部から間隔を空けて起立した一対の板状の側壁部とを備える本体部と、前記底板部に対向する板状の蓋部と、を備え、前記ロック部が、前記本体部及び前記蓋部の一方に形成されており、前記ロック孔部が、前記本体部及び前記蓋部の他方に形成されている。
【００１０】
第３態様に係るプロテクタは、第１態様又は第２態様に係るプロテクタの一態様である。第３態様に係るプロテクタにおいては、前記ロック部の前記第一形態は、前記ロック部が曲げられた形態であり、前記ロック部の前記第二形態は、平らな形態である。
【００１１】
第４態様に係るプロテクタは、第１態様から第３態様のいずれかに係るプロテクタの一態様である。第４態様に係るプロテクタは、板部材が折り曲げられることにより形成されている。
【００１２】
第５態様に係るプロテクタは、第４態様に係るプロテクタの一態様である。第５態様に係るプロテクタは、複数の板状の外側部分と複数の前記外側部分の間に形成された介在部分とを含む中空構造を有する前記板部材で形成されている。
【００１３】
第６態様に係るプロテクタは、第３態様から第５態様のいずれかに係るプロテクタの一態様である。第６態様に係るプロテクタにおいては、前記ロック孔部は、少なくとも一箇所で角度を成して曲がる形状に形成されており、前記ロック部の前記第一形態は、少なくとも一箇所で角度を成して曲げられた形態である。
【００１４】
第７態様に係るプロテクタは、第３態様から第５態様のいずれかに係るプロテクタの一態様である。第７態様に係るプロテクタにおいては、前記ロック孔部は、曲線状に形成されており、前記ロック部の前記第一形態は、曲げられ湾曲した形態である。
【発明の効果】
【００１５】
上記の各態様において、プロテクタは、板状部分に形成されたロック部が、他の板状部分に形成されたロック孔部に挿通されて係止する係止構造を備える。また、ロック部は、ロック部をロック孔部に挿通可能にする第一形態及び第一形態と異なる形状の第二形態に変形可能である。この場合、第一形態のロック部がロック孔部に挿通される。そして、挿通後のロック部が第二形態に変形することにより、ロック部とロック孔部とが相互に係止する係止構造が形成される。そして、プロテクタは、この係止構造によって、電線を収容可能な形状に維持される。即ち、上記の各態様において、側壁部の外側にさらに補助壁部を設ける必要がなく、より簡易な係止構造のプロテクタを提供することができる。
【００１６】
また、上記の第２態様において、プロテクタは、底板部及び一対の側壁部を備える本体部と蓋部とを備える。そして、本体部及び蓋部の一方にロック部が形成され、本体部及び蓋部の他方にロック孔部が形成されている。この場合、本体部の底板部及び一対の側壁部が成す溝に電線の少なくとも一部が収容された状態で、蓋部が底板部に対向する位置に近付けられる。そして、ロック部とロック孔部との係止構造により、蓋部及び本体部が電線の周囲を覆う状態にすることが可能となる。
【００１７】
また、上記の第３態様において、ロック部の第一形態は、ロック部が曲げられた形態である。また、ロック部の第二形態は、平らな形態である。この場合、曲げたロック部をロック孔部に通し、ロック孔部を挿通後に曲げを解除するという簡易な作業で、ロック部とロック孔部とが相互に係止する係止構造を作ることができる。
【００１８】
また、上記の第４態様において、プロテクタは、板部材が折り曲げられることにより形成されている。このようなプロテクタにロック部とロック孔部との係止構造を採用することにより、より簡易な構成のプロテクタを提供できる。
【００１９】
また、上記の第５態様において、プロテクタは、複数の板状の外側部分と複数の外側部分の間に形成された介在部分とを含む中空構造を有する板部材で形成されている。第５態様においては、ロック部とロック孔部との簡易な係止構造を採用することにより、中空構造の板部材が折り曲げられて形成されるプロテクタを容易に作ることが可能となる。
【００２０】
また、上記の第６態様において、ロック孔部は、少なくとも一箇所で角度を成して曲がる形状に形成されている。そして、ロック部の第一形態は、少なくとも一箇所で角度を成して曲げられた形態である。第６態様においては、ロック部の第一形態を、ロック部に対する曲げ作業をより少なくして作ることができる。従って、ロック部とロック孔部との係止構造をより簡易に作ることができる。
【００２１】
また、上記の第７態様において、ロック孔部は、曲線状に形成されている。また、ロック部の第一形態は、曲げられ湾曲した形態である。この場合、ロック孔部を挿通後のロック部が、ロック孔部からより抜けにくくなる。従って、ロック部とロック孔部との係止構造をより強固にすることができる。
【図面の簡単な説明】
【００２２】
【図１】第１実施形態に係るプロテクタの斜視図である。
【図２】第１実施形態に係るプロテクタの斜視図である。
【図３】第１実施形態に係るプロテクタの一部拡大斜視図である。
【図４】第１実施形態に係るプロテクタの一部拡大側面図である。
【図５】第１実施形態に係るプロテクタの一部拡大斜視図である。
【図６】第１実施形態に係るプロテクタの一部拡大側面図である。
【図７】第２実施形態に係るプロテクタの一部拡大側面図である。
【図８】第３実施形態に係るプロテクタの一部拡大側面図である。
【図９】第４実施形態に係るプロテクタの一部拡大側面図である。
【図１０】第５実施形態に係るプロテクタの一部拡大側面図である。
【図１１】第６実施形態に係るプロテクタの斜視図である。
【図１２】第６実施形態に係るプロテクタの斜視図である。
【発明を実施するための形態】
【００２３】
以下、添付の図面を参照しながら、本発明の実施形態について説明する。以下の実施形態は、本発明を具現化した一例であり、本発明の技術的範囲を限定する事例ではない。
【００２４】
＜第１実施形態＞
まず、図１〜６を参照しつつ、第１実施形態に係るプロテクタ１の構成について説明する。プロテクタ１は、電線９を収容可能な形状に形成されている。本実施形態では、プロテクタ１は、電線９の少なくとも一部を収容可能な形状に形成されている。
【００２５】
図１は、プロテクタ１の斜視図である。図１では、プロテクタ１が、電線９の一部の周囲を覆い保護する様子が示されている。図２は、プロテクタ１の斜視図である。図２では、電線９の収容前のプロテクタ１が示されている。
【００２６】
電線９は、例えば、銅又はアルミニウムなどを主成分とする導体と、その導体の周囲を覆う絶縁被覆と、を有する絶縁電線である。図１では、電線９は、簡略化して描かれている。例えば、複数の電線９の周囲を一括してプロテクタ１が覆い保護する場合或いは１本の電線９の周囲をプロテクタ１は覆い保護する場合等が考えられる。また、プロテクタ１が、電線９の全長に亘って保護する場合も考えられる。
【００２７】
＜プロテクタ＞
プロテクタ１には、ロック部１３及びロック孔部１２が形成されている。そして、プロテクタ１は、板状部分に形成されたロック部１３が、他の板状部分に形成されたロック孔部１２に挿通されて係止する係止構造を備える。図３は、プロテクタ１の一部拡大図であり、係止前のロック部１３及びロック孔部１２の斜視図である。なお、図３では、曲げられたロック部１３の一部を仮想線（二点鎖線）で示している。図４は、プロテクタ１の一部拡大図であり、係止前のロック部１３及びロック孔部１２の側面図である。図５は、プロテクタ１の一部拡大図であり、係止状態のロック部１３及びロック孔部１２の斜視図である。図６は、プロテクタ１の一部拡大図であり、係止状態のロック部１３及びロック孔部１２の側面図である。
【００２８】
また、本実施形態において、プロテクタ１は、板部材１０が折り曲げられることにより形成されている。また、本実施形態では、図３〜６に示されるように、板部材１０は、複数の板状の外側部分１０１と複数の外側部分１０１の間に形成された介在部分１０２とを含む中空構造を有する。
【００２９】
本実施形態において、プロテクタ１は、樹脂材料で形成された板部材１０が折り曲げられて形成された部材である。例えば、板部材１０が、ポリプロピレン等の樹脂材料で形成されたプラダンである場合が考えられる。即ち、本実施形態では、板部材１０は、段ボール構造を有し、この段ボールの材料が樹脂製の材料に置き換えられた部材である。
【００３０】
本実施形態において、板部材１０は、２つの外側部分１０１と、外側部分１０１の間に介在する複数の介在部分１０２と、を備える。また、本実施形態の２つの外側部分１０１と複数の介在部分１０２とを備える板部材１０は、はしご状断面を有する形状に形成されている。
【００３１】
本実施形態では、外側部分１０１は、平板状に形成されている。そして、複数の外側部分１０１は、互いに間隔を空けた状態で複数の介在部分１０２を介して連結されている。
【００３２】
複数の介在部分１０２のそれぞれは、細長い板状に形成されており、相互間に間隔をあけた並列状態で複数の外側部分１０１の間に設けられている。各介在部分１０２の延在方向は、互いに平行な位置関係にある。各介在部分１０２は、湾曲していてもよいし、所定の角度を成して曲っていてもよい。図３〜６に示される例では、各介在部分１０２は、両側の外側部分１０１に対して直交する姿勢で、両側の外側部分１０１の間に挟み込まれた状態で、両側の外側部分１０１と一体的に形成されている。
【００３３】
このような板部材１０は、例えば、はしご状断面に応じた押出孔から樹脂を押出す押出成型装置によって、連続的に製造することができる。本実施形態では、板部材１０を容易に低コストで製造することができる。なお、便宜上、中空構造の板部材の外側部分１０１及び介在部分１０２は、図３及び図５〜１０にのみ示しており、それ以外の図面では、省略している。
【００３４】
また、本実施形態のプロテクタ１は、本体部２と蓋部３とを備える。また、本実施形態のプロテクタ１は、本体部２と蓋部３とを連結するヒンジ部４も備えている。
【００３５】
ロック部１３は、本体部２及び蓋部３の一方に形成されており、ロック孔部１２は、本体部２及び蓋部３の他方に形成されている。本実施形態は、ロック部１３が蓋部３に形成され、ロック孔部１２が本体部２に形成されている場合の事例である。なお、ロック部１３が本体部２に形成され、ロック孔部１２が蓋部３に形成されている場合も考えられる。
【００３６】
＜プロテクタ：本体部＞
本体部２は、板状の底板部２１と底板部２１から間隔を空けて起立した一対の板状の側壁部２２とを備える。また、本実施形態において、ロック孔部１２は、一対の側壁部２２の一方に形成されている。
【００３７】
なお、ロック孔部１２が一対の側壁部２２の両方に形成されていることも考えられる。この場合、例えば、プロテクタ１の長手方向において、ロック孔部１２が、同じ位置に設けられていることが考えられる。なお、一対の側壁部２２の一方に設けられたロック孔部１２と一対の側壁部２２の他方に設けられたロック孔部１２との位置が、プロテクタ１の長手方向において異なっている場合も考えられる。例えば、ロック孔部１２が、長手方向に沿って、一対の側壁部２２の一方と他方とに交互に設けられている場合も考えられる。また、ロック孔部１２とロック部１３との係止構造のみで、本体部２と蓋部３とが連結されている場合も考えられる。
【００３８】
底板部２１は、板状の部分であり、電線９を一の方向から支える。本実施形態では、底板部２１は、直線経路に沿って配線される電線９を一の方向から支える。即ち、底板部２１は、直線状に形成されている。なお、底板部２１が、曲線経路に沿って配線される電線９を一の方向から支える場合も考えられる。この場合、底板部２１は、曲線状に形成されていることが考えられる。
【００３９】
一対の側壁部２２は、底板部２１から起立して形成された板状の部分である。底板部２１及び一対の側壁部２２は、電線９の少なくとも一部を収容可能な溝２０を形成する。
【００４０】
本実施形態では、一対の側壁部２２の一方にロック孔部１２が形成されている。図１，２に示されるように、本実施形態では、ロック孔部１２は、側壁部２２の先端側の縁部に形成されている。なお、一対の側壁部２２の他方（ロック孔部１２が形成されていない方）の先端側の縁部には、ヒンジ部４が形成されている。ヒンジ部４は、本体部２と蓋部３とを連結する部分である。
【００４１】
また、図１，２に示される例では、側壁部２２におけるロック孔部１２が形成されている部分の縁部が、それ以外の部分の縁部よりも先端側へ張り出した形状に本体部２が形成されている。しかしながら、側壁部２２におけるロック孔部１２が形成されている部分の縁部が、それ以外の部分の縁部よりも先端側へ張り出していない場合も考えられる。
【００４２】
本実施形態において、ロック孔部１２は、矩形状に形成されている。このロック孔部１２には、後述する第一形態のロック部１３が挿通される。一対の側壁部２２の対向する方向から見て、矩形状のロック孔部１２を成す２組の一対の縁部のうち長い方の縁部がロック孔部１２の長手寸法を成す。また、一対の側壁部２２の対向する方向から見て、矩形状のロック孔部１２を成す２組の一対の縁部のうち短い方の縁部がロック孔部１２の短手寸法を成す。
【００４３】
なお、ロック孔部１２が、矩形状以外の形状に形成されている場合も考えられる。詳しくは、後述する。
【００４４】
＜プロテクタ：蓋部＞
蓋部３は、板状の部分である。蓋部３は、一対の側壁部２２間を塞ぐ部分である。また、プロテクタ１において、蓋部３は底板部２１と対向する。また、プロテクタ１が電線９の収容する状態においては、蓋部３は、底板部２１に電線９を介して対向する。
【００４５】
本実施形態では、蓋部３には、ロック部１３が形成されている。本実施形態において、ロック部１３は、蓋部３の側方に突出して形成された部分である。即ち、ロック部１３は、蓋部３の長手方向に沿う外縁部から突出して形成されている。
【００４６】
本実施形態では、蓋部３の一対の外縁部のうち一方のみにロック部１３が形成されている。また、蓋部３の一対の外縁部のうち他方には、本体部２と蓋部３とを連結するヒンジ部４が形成されている。なお、ロック部１３が、蓋部３の一対の外縁部の両方に形成されていることも考えられる。また、ロック部１３が、蓋部３の短手方向に沿う外縁部に形成されていることも考えられる。
【００４７】
ロック部１３は、ロック部１３をロック孔部１２に挿通可能にする第一形態及び第一形態と異なる形状の第二形態に変形可能な部分である。また、本実施形態において、ロック部１３の第一形態は、ロック部１３が曲げられた形態であり、ロック部１３の第二形態は、平らな形態である。
【００４８】
本実施形態において、第二形態のロック部１３は、ロック部１３に対して曲げ等の力が加えられていない形態を意味する。即ち、第二形態のロック部１３とは、自然状態におけるロック部１３を意味する。まず、図５，６等を参照しつつ、第二形態のロック部１３について説明する。
【００４９】
本実施形態では、ロック部１３は、幅広部１３１と幅狭部１３２とを含む。幅狭部１３２は、ロック部１３における根元側（蓋部３側）の部分である。また、幅狭部１３２は、蓋部３に連なって形成されている。
【００５０】
本実施形態では、ロック部１３の根元側から先端側に向かう方向（以下、突出方向）における幅狭部１３２の寸法は、プロテクタ１を形成する板部材１０の厚み寸法よりも大きく形成されている。図１〜６に示される例では、ロック部１３の根元側から先端側に向かう方向における幅狭部１３２の寸法は、プロテクタ１を形成する板部材１０の厚み寸法よりも僅かに大きく形成されている。例えば、ロック部１３とロック孔部１２との係止状態において、本体部２の側壁部２２が幅広部１３１と蓋部３とががたつかずに挟まれる程度に、上記突出方向における幅狭部１３２の寸法が、板部材１０の厚み寸法よりも大きく形成されていることが考えられる。また、ロック部１３の根元側から先端側に向かう方向における幅狭部１３２の寸法が、板部材１０の厚み寸法と同じである場合等も考えられる。
【００５１】
また、ロック部１３の厚み方向と上記突出方向とに直交する方向を、幅方向と称する。本実施形態では、幅方向は、蓋部３の長手方向に沿う方向でもある。幅方向におけるロック部１３の寸法を、幅寸法と称する。
【００５２】
幅広部１３１は、ロック部１３における先端側の部分である。幅広部１３１は、幅狭部１３２における蓋部３側に対し反対側で、幅狭部１３２に連なって形成されている。
【００５３】
第二形態のロック部１３において、幅広部１３１の幅寸法は、幅狭部１３２の幅寸法よりも大きく形成されている。本実施形態では、幅広部１３１は、上記突出方向から両側方へ張り出した部分を含む。
【００５４】
次に、図３，４等を参照しつつ、第一形態のロック部１３について説明する。本実施形態において、ロック部１３の第一形態は、ロック部１３における幅広部１３１が曲げられた形態を意味する。
【００５５】
第一形態のロック部１３においては、幅広部１３１における両側方へ張り出した部分が折り返される。本実施形態では、幅広部１３１における両側方へ張り出した部分の縁部同士が対向する形状に折り返される。この場合、第一形態のロック部１３は、幅広部１３１における張り出した部分が折り返されることにより重なる部分を含む。
【００５６】
そして、本実施形態においては、第二形態のロック部１３の幅広部１３１の幅寸法は、ロック孔部１２の長手寸法よりも大きく形成されている。
【００５７】
一方、第二形態のロック部１３が曲げられることにより得られる第一形態のロック部１３の幅広部１３１の幅寸法は、ロック孔部１２の長手寸法よりも小さく形成されている。即ち、第一形態のロック部１３は、ロック孔部１２の長手寸法よりも小さくなるように第二形態のロック部１３を曲げられることにより得られる。
【００５８】
また、本実施形態では、ロック部１３の幅狭部１３２の幅寸法は、第一形態及び第二形態の両形態において、ロック孔部１２の長手寸法よりも小さく形成されている。
【００５９】
＜プロテクタ：ヒンジ部＞
本実施形態において、ヒンジ部４は、本体部２と蓋部３とを連結する部分である。本実施形態では、ヒンジ部４は、本体部２に対し蓋部３を開閉可能に連結する部分である。図１，２に示される例において、ヒンジ部４は、一対の側壁部２２のうちロック孔部１２が形成されていない方の側壁部２２と蓋部３とに連なって形成されている。
【００６０】
例えば、ヒンジ部４は、蓋部３及び本体部２とは別体で形成され、蓋部３と本体部２とに対しそれぞれ溶着或いは接着等されることにより、本体部２と蓋部３とを、本体部２に対し蓋部３を開閉可能に連結する部分であることが考えられる。また、プロテクタ１が、一枚の板部材１０が折り曲げられて形成される場合、ヒンジ部４は、板部材１０のうち側壁部２２を形成する領域と蓋部３を形成する領域との間の領域によって形成される部分であることも考えられる。
【００６１】
＜ロック部及びロック孔部の係止構造＞
次に、図３〜６を参照しつつ、ロック部１３及びロック孔部１２の係止構造について説明する。まず、第一形態のロック部１３が、ロック孔部１２に挿入される。
【００６２】
ロック部１３のロック孔部１２への挿入方向から見て、第一形態のロック部１３の幅寸法は、ロック孔部１２の長手寸法よりも小さくなるように曲げられる。本実施形態では、ロック部１３における幅広部１３１が曲げられることにより、ロック孔部１２の長手寸法よりもロック部１３の幅広部１３１の幅寸法が小さくなる。なお、第一形態のロック部１３の幅広部１３１の厚み寸法は、ロック孔部１２の短手寸法よりも小さくなるように曲げられている。
【００６３】
図３，４に示される例では、ロック孔部１２の短手寸法は、第二形態のロック部１３の幅広部１３１の厚み寸法の２倍である。そのため、折り返され重なる部分を含む第一形態のロック部１３の幅広部１３１が、挿入可能となる。また、図３，４に示される例では、ロック孔部１２の長手寸法は、第二形態のロック部１３の幅広部１３１の幅寸法の半分である。そのため、幅広部１３１における両端からの約４分の１の領域が折り返されることにより、第一形態のロック部１３が、ロック孔部１２に挿入可能となる。
【００６４】
本実施形態においては、例えば、作業者によってロック部１３が第一形態へと変形させられる。なお、ロック部１３の幅広部１３１に第一形態への変形用の折り目が付けられていることも考えられる。この場合、第一形態のロック部１３の形状が安定する。また、折り目が形成されない程に曲げられることも考えられる。この場合、ロック部１３の幅広部１３１を曲げる力を除去すると、ロック部１３が、元の平らな形状に復帰しやすくなる。
【００６５】
そして、ロック部１３の幅広部１３１がロック孔部１２を通過後、ロック部１３は、第一形態から第二形態へと変形する。例えば、ロック部１３に加える力が除去されると自然に第一形態から第二形態へロック部１３が変形する場合或いは作業者により第一形態から第二形態へロック部１３が変形させられる場合等が考えられる。なお、自然に第一形態から第二形態へロック部１３が変形し、さらに、作業者により第一形態から第二形態へロック部１３が変形させられる場合も考えられる。
【００６６】
ここで、第二形態のロック部１３の幅広部１３１の幅寸法は、ロック孔部１２の長手寸法よりも大きくなるように形成されている。従って、第一形態から第二形態へとロック部１３が変形することにより、ロック部１３の幅広部１３１の幅寸法が、ロック孔部１２の長手寸法よりも大きくなる。そして、第二形態のロック部１３の幅広部１３１が、ロック孔部１２に引っかかることにより、蓋部３と本体部２との係止状態が維持される。その結果、合体状態のプロテクタ１を得ることができる。
【００６７】
また、本実施形態において、幅狭部１３２の上記突出方向における寸法は、本体部２の側壁部２２の厚み寸法よりも僅かに大きい。そのため、側壁部２２を幅広部１３１と蓋部３とががたつくことなく挟む。この場合、蓋部３と本体部２との係止状態がより良好に維持される。
【００６８】
また、本実施形態では、合体状態のプロテクタ１において、蓋部３の短手方向と本体部２の一対の側壁部２２の対向する方向とが重なる。また、直線状に形成された底板部２１の電線９の経路方向に沿う方向を底板部２１の長手方向と称すると、合体状態のプロテクタ１において、蓋部３の長手方向と底板部２１の長手方向とが重なる。
【００６９】
ここで、本実施形態では、蓋部３を形成する板部材１０の介在部分１０２は、合体状態のプロテクタ１において、蓋部３の短手方向（本体部２の一対の側壁部２２の対向する方向）に延びて形成されている。また、本体部２の一対の側壁部２２及び底板部２１を形成する板部材１０の介在部分１０２は、合体状態のプロテクタ１において、底板部２１の長手方向（蓋部３の長手方向）に延びて形成されている。即ち、本体部２を形成する板部材１０の介在部分１０２が延びる方向と蓋部３を形成する板部材１０の介在部分１０２が延びる方向とが異なっている。本実施形態では、本体部２を形成する板部材１０の介在部分１０２が延びる方向と蓋部３を形成する板部材１０の介在部分１０２が延びる方向とが直交するようにプロテクタ１が形成されている。この場合、プロテクタ１が特定の方向へ曲がりにくくなり、プロテクタ１の強度が向上する。そのため、例えば、直線の経路に沿って配線される電線９を保護するプロテクタ１の強度を向上させることができる。
【００７０】
＜効果＞
本実施形態において、プロテクタ１は、板状部分（蓋部３）に形成されたロック部１３が、他の板状部分（本体部２の側壁部２２）に形成されたロック孔部１２に挿通されて係止する係止構造を備える。また、ロック部１３は、ロック部１３をロック孔部１２に挿通可能にする第一形態及び第一形態と異なる形状の第二形態に変形可能である。この場合、第一形態のロック部１３がロック孔部１２に挿通される。そして、挿通後のロック部１３が第二形態に変形することにより、ロック部１３とロック孔部１２とが相互に係止する係止構造が形成される。そして、プロテクタ１は、この係止構造によって、電線９を収容可能な形状に維持される。即ち、本実施形態において、側壁部２２の外側にさらに補助壁部を設ける必要がなく、より簡易な係止構造のプロテクタ１を提供することができる。
【００７１】
また、本実施形態において、プロテクタ１は、底板部２１及び一対の側壁部２２を備える本体部２と蓋部３とを備える。そして、蓋部３にロック部１３が形成され、本体部２にロック孔部１２が形成されている。この場合、本体部２の底板部２１及び一対の側壁部２２が成す溝に電線９の少なくとも一部が収容された状態で、蓋部３が底板部２１に対向する位置に近付けられる。そして、ロック部と１３ロック孔部１２との係止構造により、蓋部３及び本体部２が電線９の周囲を覆う状態にすることが可能となる。
【００７２】
また、本実施形態において、ロック部１３の第一形態は、ロック部１３が曲げられた形態である。また、ロック部１３の第二形態は、平らな形態である。この場合、曲げたロック部１３をロック孔部１２に通し、ロック孔部１２を挿通後に曲げを解除するという簡易な作業で、ロック部１３とロック孔部１２とが相互に係止する係止構造を作ることができる。
【００７３】
また、本実施形態において、プロテクタ１は、板部材１０が折り曲げられることにより形成されている。このようなプロテクタ１にロック部１３とロック孔部１２との係止構造を採用することにより、より簡易な構成のプロテクタ１を提供できる。
【００７４】
また、本実施形態において、プロテクタ１は、複数の板状の外側部分１０１と複数の外側部分１０１の間に形成された介在部分１０２とを含む中空構造を有する板部材１０で形成されている。中空構造の板部材１０が折り曲げられて形成されるプロテクタ１に、例えば、従来のような複雑な係止構造を適用すると、作りにくい等の不都合が懸念される。本実施形態においては、ロック部１３とロック孔部１２との簡易な係止構造を採用することにより、中空構造の板部材１０が折り曲げられて形成されるプロテクタを容易に作ることが可能となる。
【００７５】
また、本実施形態において、プロテクタ１への電線９の収容作業及びロック部１３とロック孔部１２との係止作業を、本体部２の溝２０がある方向を向いた状態で行うことが可能である。この場合、各作業時に本体部２を回転させる等の作業が不要となり、作業性に優れる。
【００７６】
＜第２実施形態＞
次に、図７を参照しつつ、第２実施形態に係るプロテクタ１Ａについて説明する。図７は、プロテクタ１Ａの一部拡大図であり、係止状態のロック部１３Ａ及びロック孔部１２Ａの側面図である。なお、図７において、係止状態前のロック部１３Ａが、仮想線（二点鎖線）で描かれている。また、図７において、図１〜６に示される構成要素と同じ構成要素は、同じ参照符号が付されている。
【００７７】
本実施形態のプロテクタ１Ａのロック部１３Ａ及びロック孔部１２Ａは、プロテクタ１のロック部１３及びロック孔部１２と異なる構造を有する。以下、プロテクタ１Ａにおけるプロテクタ１と異なる点について説明する。
【００７８】
プロテクタ１Ａのロック孔部１２Ａは、少なくとも一箇所で角度を成して曲がる形状に形成されている。本実施形態では、ロック孔部１２Ａは、２箇所で角度を成して曲がる形状に形成されている。本実施形態において、ロック孔部１２Ａは、直線状の部分と直線状の部分の両端部からそれぞれ９０度の角度を成して立ち上がった部分とを含む。
【００７９】
そして、ロック部１３Ａの第一形態は、少なくとも一箇所で角度を成して曲げられた形態である。本実施形態では、ロック部１３Ａの第一形態は、２箇所で角度を成して曲げられた形態であり、ロック孔部１２Ａに応じた形状である。なお、ロック部１３Ａの第二形態は、第１実施形態と同様の形態である。
【００８０】
本実施形態では、第二形態のロック部１３Ａの幅広部１３１Ａが、ロック孔部１２Ａに挿入可能な形状に曲げられる。このとき、ロック部１３Ａの幅広部１３１Ａに折り目が形成される程の力で曲げられる。この場合、第一形態のロック部１３Ａの形状が安定し、ロック部１３Ａのロック孔部１２Ａに対する挿入作業を容易に行うことができる。
【００８１】
そして、ロック部１３Ａの幅広部１３１Ａがロック孔部１２Ａを通過後、ロック部１３Ａの曲げ状態が解除され、第一形態から第二形態へ変形する。本実施形態では、元の形状へある程度、自然にロック部１３Ａが変形し、さらに、作業者によってロック部１３Ａが、第一形態から第二形態へと変形させられることが考えられる。
【００８２】
以上の手順を経てロック部１３Ａとロック孔部１２Ａとが係止する。これにより、合体状態のプロテクタ１Ａを得ることができる。本実施形態においては、ロック部１３Ａのロック孔部１２Ａに対する挿入作業を容易に行うことができる。
【００８３】
＜第３実施形態＞
次に、図８を参照しつつ、第３実施形態に係るプロテクタ１Ｂについて説明する。図８は、プロテクタ１Ｂの一部拡大図であり、係止状態のロック部１３Ｂ及びロック孔部１２Ｂの側面図である。なお、図８において、係止状態前のロック部１３Ｂが、仮想線（二点鎖線）で描かれている。また、図８において、図１〜７に示される構成要素と同じ構成要素は、同じ参照符号が付されている。
【００８４】
本実施形態のプロテクタ１Ｂのロック部１３Ｂ及びロック孔部１２Ｂは、プロテクタ１のロック部１３及びロック孔部１２と異なる構造を有する。以下、プロテクタ１Ｂにおけるプロテクタ１と異なる点について説明する。
【００８５】
プロテクタ１Ｂのロック孔部１２Ｂは、少なくとも一箇所で角度を成して曲がる形状に形成されている。本実施形態では、ロック孔部１２Ｂは、１箇所で角度を成して曲がる形状に形成されている。本実施形態では、ロック孔部１２Ｂは、直線状の部分と直線状の部分の一方の端部から９０度の角度を成して立ち上がった部分とを含む。
【００８６】
そして、ロック部１３Ｂの第一形態は、少なくとも一箇所で角度を成して曲げられた形態である。本実施形態では、ロック部１３Ｂの第一形態は、１箇所で角度を成して曲げられた形態であり、ロック孔部１２Ｂに応じた形状である。なお、ロック部１３Ｂの第二形態は、第１実施形態と同様の形態である。
【００８７】
本実施形態では、第二形態のロック部１３Ｂの幅広部１３１Ｂが、ロック孔部１２Ｂに挿入可能な形状に曲げられる。このとき、ロック部１３Ｂの幅広部１３１Ｂに折り目が形成される程の力で曲げられる。この場合、第一形態のロック部１３Ｂの形状が安定し、ロック部１３Ｂのロック孔部１２Ｂに対する挿入作業を容易に行うことができる。
【００８８】
そして、ロック部１３Ｂの幅広部１３１Ｂがロック孔部１２Ｂを通過後、ロック部１３Ｂの曲げ状態が解除され、第一形態から第二形態へ変形する。本実施形態では、元の形状へある程度、自然にロック部１３Ｂが変形し、さらに、作業者によってロック部１３Ｂが、第一形態から第二形態へと変形させられることが考えられる。
【００８９】
以上の手順を経てロック部１３Ｂとロック孔部１２Ｂとが係止する。これにより、合体状態のプロテクタ１Ｂを得ることができる。本実施形態においては、ロック部１３Ｂのロック孔部１２Ｂに対する挿入作業を容易に行うことができる。
【００９０】
＜第４実施形態＞
次に、図９を参照しつつ、第４実施形態に係るプロテクタ１Ｃについて説明する。図９は、プロテクタ１Ｃの一部拡大図であり、係止状態のロック部１３Ｃ及びロック孔部１２Ｃの側面図である。なお、図９において、係止状態前のロック部１３Ｃが、仮想線（二点鎖線）で描かれている。また、図９において、図１〜８に示される構成要素と同じ構成要素は、同じ参照符号が付されている。
【００９１】
本実施形態のプロテクタ１Ｃのロック部１３Ｃ及びロック孔部１２Ｃは、プロテクタ１のロック部１３及びロック孔部１２と異なる構造を有する。以下、プロテクタ１Ｃにおけるプロテクタ１と異なる点について説明する。
【００９２】
本実施形態では、プロテクタ１Ｃのロック孔部１２Ｃは、円形状に形成されている。
【００９３】
そして、ロック部１３Ｃの第一形態は、ロック孔部１２Ｃを挿入可能な形状である。図９に示される例では、第一形態のロック部１３Ｃは、ロック孔部１２Ｃに挿入可能に、リング状に近い形状へ曲げられ、その中心に向かって縮められることにより湾曲した形状に曲げられている。
【００９４】
なお、第一形態のロック部１３Ｃが、図９に示される例以外の場合も考えられる。例えば、第１実施形態と同様、第一形態のロック部１３Ｃが折り曲げられ重なった部分を有する場合或いは無造作に曲げられている場合等が考えられる。なお、ロック部１３Ｃの第二形態は、第１実施形態と同様の形態である。
【００９５】
本実施形態では、第二形態のロック部１３Ｃの幅広部１３１Ｃが、ロック孔部１２Ｃに挿入可能な形状に曲げられる。このとき、ロック部１３Ｃは、折り目が形成されない程、例えば、曲げの力を除去すると元の平らな形状へと復帰する弾性変形可能な程の力で曲げられる。そして、ロック部１３Ｃの幅広部１３１Ｃがロック孔部１２Ｃを通過後、ロック部１３Ｃへの曲げの力が除去されると、第一形態から第二形態へ変形する。
【００９６】
本実施形態では、以上の手順を経て、ロック部１３Ｃとロック孔部１２Ｃとが係止する。これにより、合体状態のプロテクタ１Ｃを得ることができる。また、本実施形態においては、ロック孔部１２Ｃを挿通後のロック部１３Ｃは、折り目が形成されていない平らな形状である。そのため、ロック孔部１２Ｃを挿通後のロック部１３Ｃが、ロック孔部１２Ｃからより抜けにくくなる。従って、ロック部１３Ｃとロック孔部１２Ｃとの係止構造をより強固にすることができる。
【００９７】
＜第５実施形態＞
次に、図１０を参照しつつ、第５実施形態に係るプロテクタ１Ｄについて説明する。図１０は、プロテクタ１Ｄの一部拡大図であり、係止状態のロック部１３Ｄ及びロック孔部１２Ｄの側面図である。なお、図１０において、係止状態前のロック部１３Ｄが、仮想線（二点鎖線）で描かれている。また、図１０において、図１〜９に示される構成要素と同じ構成要素は、同じ参照符号が付されている。
【００９８】
本実施形態のプロテクタ１Ｄのロック部１３Ｄ及びロック孔部１２Ｄは、プロテクタ１のロック部１３及びロック孔部１２と異なる構造を有する。以下、プロテクタ１Ｄにおけるプロテクタ１と異なる点について説明する。
【００９９】
プロテクタ１Ｄのロック孔部１２Ｄは、曲線状に形成されている。本実施形態では、ロック孔部１２Ｄは、横転したＳ字状に形成されている。
【０１００】
そして、ロック部１３Ｄの第一形態は、曲げられ湾曲したロック孔部１２Ｄを挿入可能な形態である。本実施形態では、ロック部１３Ｄの第一形態は、横転したＳ字状に曲げられた形態である。なお、ロック部１３Ｄの第二形態は、第１実施形態と同様の形態である。
【０１０１】
本実施形態では、第二形態のロック部１３Ｄの幅広部１３１Ｄが、ロック孔部１２Ｄに挿入可能な形状に曲げられる。このとき、ロック部１３Ｄは、折り目が形成されない程、例えば、曲げの力を除去すると元の平らな形状へと復帰する弾性変形可能な程の力で曲げられる。
【０１０２】
本実施形態では、ロック部１３Ｄの幅広部１３１Ｄがロック孔部１２Ｄを通過後、ロック部１３Ｄへの曲げの力が除去されると、第一形態から第二形態へ変形する。これにより、ロック部１３Ｄとロック孔部１２Ｄとが係止し、合体状態のプロテクタ１Ｄを得ることができる。
【０１０３】
本実施形態においては、ロック孔部１２Ｄを挿通後のロック部１３Ｄは、折り目が形成されていない平らな形状である。そのため、ロック孔部１２Ｄを挿通後のロック部１３Ｄが、ロック孔部１２Ｄからより抜けにくくなる。従って、ロック部１３Ｄとロック孔部１２Ｄとの係止構造をより強固にすることができる。
【０１０４】
＜第６実施形態＞
次に、図１１，１２を参照しつつ、第６実施形態のプロテクタ１Ｅについて説明する。図１１，１２は、それぞれプロテクタ１Ｅの斜視図である。図１１では、係止状態前のプロテクタ１Ｅが示されている。また、図１２では、係止状態のプロテクタ１Ｅが示されている。なお、図１１，１２において、図１〜１０に示される構成要素と同じ構成要素は、同じ参照符号が付されている。
【０１０５】
本実施形態のプロテクタ１Ｅにおいては、ロック部１３Ｅが本体部２側に形成され、ロック孔部１２Ｅは、蓋部３側に形成されている。以下、プロテクタ１Ｅにおけるプロテクタ１と異なる点について説明する。
【０１０６】
本実施形態では、蓋部３にロック孔部１２Ｅが形成されている。ロック孔部１２Ｅは、蓋部３の長手方向に沿う外縁部から張り出した部分に形成されている。また、本実施形態では、蓋部３の長手方向に沿う一対の外縁部両方にロック孔部１２Ｅが形成されている。
【０１０７】
即ち、本実施形態のプロテクタ１Ｅは、ヒンジ部４を有しておらず、本体部２と蓋部３とが別体である。
【０１０８】
また、本実施形態において、ロック孔部１２Ｅの形状は、第１実施形態と同様、矩形状に形成されている。しかしながら、ロック孔部１２Ｅの形状が、それ以外の形状、例えば、少なくとも１箇所で角度を成して曲がった形状又はＳ字状の形状である場合等も考えられる。
【０１０９】
また、本実施形態では、本体部２の側壁部２２にロック部１３Ｅが形成されている。なお、本実施形態では、一対の側壁部２２の両方にロック部１３Ｅが形成されている。
【０１１０】
本実施形態において、ロック部１３Ｅは、一対の側壁部２２の先端側の縁部に形成されている。ロック部１３Ｅは、側壁部２２の底板部２１から側壁部２２の先端側に向かう方向へ一対の側壁部２２の先端側の縁部から突出して形成された部分である。
【０１１１】
そして、ロック部１３Ｅの第一形態は、第１実施形態と同様の形態である。しかしながら、ロック部１３Ｅの第一形態が、少なくとも１箇所で角度を成して曲げられた形態又は横転したＳ字状に曲げられた形態等である場合も考えられる。なお、ロック部１３Ｅの第二形態は、第１実施形態と同様の形態である。
【０１１２】
本実施形態では、第二形態のロック部１３Ｅの幅広部１３１Ｅが、ロック孔部１２Ｅに挿入可能な形状に曲げられる。そして、蓋部３が底板部２１に対向した状態で近付けられる。即ち、本実施形態において、ロック部１３Ｅの挿入方向は、蓋部３と底板部２１とが対向する方向に重なる。
【０１１３】
ロック部１３Ｅの幅広部１３１Ｅがロック孔部１２Ｅを通過後、ロック部１３Ｅの曲げ状態が解除され、第一形態から第二形態へ変形することにより、ロック部１３Ｅとロック孔部１２Ｅとが係止する。これにより、合体状態のプロテクタ１Ｅを得ることができる。本実施形態においても、第１実施形態と同様の効果を得ることができる。
【０１１４】
＜応用例＞
ロック孔部１２が、正方形状の孔であることも考えられる。
【０１１５】
また、ロック孔部１２Ａ，１２Ｂが、３箇所以上で角度を成して曲がる形状に形成されている場合も考えられる。また、ロック孔部１２Ａ，１２Ｂが、Ｕ字状又はＶ字状等の形状である場合も考えられる。また、ロック孔部１２Ａ，１２Ｂが、Ｔ字状又はＨ字状等の形状である場合も考えられる。
【０１１６】
また、ロック孔部１２Ｃが、楕円形状又は角丸長方形状等である場合も考えられる。
【０１１７】
また、合体状態のプロテクタ１において、本体部２を形成する板部材１０の介在部分１０２が延びる方向と蓋部３を形成する板部材１０の介在部分１０２が延びる方向とが同じである場合も考えられる。
【０１１８】
また、ロック部１３が板状部分（蓋部３）の縁部以外に形成されている場合も考えられる。例えば、ロック部１３が、板状部分の中間領域を切り起こして形成されている場合も考えられる。
【０１１９】
また、複数のプロテクタ１が、電線９の経路方向に沿って連結されていることも考えられる。
【０１２０】
なお、本発明に係るプロテクタは、各請求項に記載された発明の範囲において、以上に示された各実施形態および応用例を自由に組み合わせること、或いは各実施形態および応用例を適宜、変形するまたは一部を省略することによって構成されることも可能である。
【符号の説明】
【０１２１】
１  プロテクタ
１０  板部材
１０１  外側部分
１０２  介在部分
１２  ロック孔部
１３  ロック部
２  本体部
２１  底板部
２２  側壁部
３  蓋部
９  電線
【図１】
2016012990.tif 000003
【図２】
2016012990.tif 000004
【図３】
2016012990.tif 000005
【図４】
2016012990.tif 000006
【図５】
2016012990.tif 000007
【図６】
2016012990.tif 000008
【図７】
2016012990.tif 000009
【図８】
2016012990.tif 000010
【図９】
2016012990.tif 000011
【図１０】
2016012990.tif 000012
【図１１】
2016012990.tif 000013
【図１２】
2016012990.tif 000014